(57)【要約】【課題】線材格子フェンスパネルを用いた線材格子フェンスの提供。【解決手段】３本以上の柱縦線材７にその上下方向に間隔をおいた多数の環状柱横線材８を接合してなる筒状支柱６と、上端が湾曲して下方に２本の縦線材が伸びる湾曲縦線材２を間隔をおいて複数配置し、上下に間隔をおいて横線材部分を備えたリング状横線材３が複数上下方向に配置されて湾曲縦線材２に接合されていると共に、最上段のリング状横線材３は、同じ形状のリング状横線材３が各湾曲縦線材２の前後両側に同じ高さ位置に配置されて湾曲縦線材２に接合された線材格子フェンスパネル１とを備え、隣り合う各線材格子フェンスパネル１におけるリング状横線材１３の側端の縦部分４ｂは、それぞれ筒状支柱６の前面側で隣り合うように配置され、その筒状支柱６の前面側で隣り合う最上段のリング状横線材３の側端の縦部分４ｂと、筒状支柱６とは、継手金物１３により接合されている。【選択図】図３
2012202036.tif 000002
【特許請求の範囲】
【請求項１】
３本以上の柱縦線材にその上下方向に間隔をおいた多数の環状柱横線材を接合してなる筒状支柱と、
上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、
隣り合う各線材格子フェンスパネルにおけるリング状横線材の側端の縦部分は、それぞれ前記筒状支柱の前面側で隣り合うように配置され、その筒状支柱の前面側で隣り合う最上段のリング状横線材の側端の縦部分と、筒状支柱とは、継手金物により接合されていることを特徴とする線材格子フェンス。
【請求項２】
３本以上の柱縦線材にその上下方向に間隔をおいた多数の環状柱横線材を接合してなる筒状支柱と、
上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、
その線材格子フェンスパネルにおけるリング状横線材の側端の縦部分は、前記筒状支柱の前面側に配置され、最上段のリング状横線材の側端の縦部分と、筒状支柱とは、継手金物により接合されていることを特徴とする線材格子フェンス。
【請求項３】
３本以上の柱縦線材にその上下方向に間隔をおいた多数の環状柱横線材を接合してなる筒状支柱と、
上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、
その線材格子フェンスパネルにおけるリング状横線材の側端の横線材部分は、前記筒状支柱の前面側に配置され、最上段のリング状横線材の側端の横線材部分と、筒状支柱とは、継手金物により接合されていることを特徴とする線材格子フェンス。
【請求項４】
線材格子フェンスパネルにおける最上段の後部のリング状横線材の継手部が、前記筒状支柱の上部の上下一対の環状柱横線材間における下側の環状柱横線材上に載置されて、前記継手部と、上下の環状柱横線材とを囲むように、係止溝を有すると共にボルト挿通孔を有する上下一対の係止片を備えた継手金物における前記係止片が前記環状柱横線材及び継手部に嵌合され、上下一対の係止片のボルト挿通孔に渡って、継手金物におけるボルトの軸部が挿通されると共にナットがねじ込まれて、線材格子フェンスパネルは筒状支柱に取り付けられていることを特徴とする請求項１又は２に記載の線材格子フェンス。
【請求項５】
前記継手金物は、ボルト挿通孔を有する断面コ字状の断面コ字状の係止金具を備え、その係止金具における各係止脚部間に、隣り合う線材格子フェンスパネルにおける最上段のリング状横線材における側端の各縦部分が位置し、上下一対の係止片のボルト挿通孔と、前記係止金具のボルト挿通孔とに渡って、継手金物におけるボルトの軸部が挿通されると共にナットがねじ込まれて、左右の線材格子フェンスパネルにおける継手部は筒状支柱に取り付けられていることを特徴とする請求項４に記載の線材格子フェンス。
【請求項６】
短尺横線材が、湾曲縦線材の下部、又は下部と中間部に、接合されている線材格子フェンスパネルとされていることを特徴とする請求項１〜５のいずれか１項に記載の線材格子フェンス。 
【発明の詳細な説明】
【技術分野】
【０００１】
本発明は、住宅の庭や公園等に設置されるフェンスに関する。
【背景技術】
【０００２】
フェンスとしては、フェンスパネルと支柱とが、それぞれ別体とされて、フェンスパネルを支柱に固定する形態の支柱別体型のフェンスが知られている（例えば、特許文献１、２参照）。
また、フェンスパネルの少なくとも一端側に支柱を一体に備えた支柱一体型フェンスパネルも知られている（例えば、特許文献３〜５参照）。
本発明は、前者の支柱別体型のフェンスに属する。
【０００３】
また、線材格子フェンスパネルの上端部を湾曲させて、線材格子フェンスパネルの上端部に、長手方向に連続した胴縁を形成するようにして線材格子フェンスパネルの剛性を高めるようにした形態のフェンス又はフェンスパネルも知られている（例えば、特許文献３〜５参照）。
また、線材格子フェンスパネルの上端部を湾曲させて胴縁を形成することなく、線材格子フェンスパネル自体の剛性を高めるために、横線材を縦線材の前後から挟みつけるようにした形態のフェンスパネルも知られている（例えば、特許文献６〜８参照）。
本発明は、後者の線材格子フェンスパネルの上端部を湾曲させて胴縁を形成しない形態の線材格子フェンスに属する。
【先行技術文献】
【特許文献】
【０００４】
【特許文献１】特開昭６４−３６８７７号公報
【特許文献２】実公平６−３８８９３号公報
【特許文献３】特開平１−２２３２２７５号公報
【特許文献４】特公平５−３９３９０号公報
【特許文献５】実公昭６２−４３０９３号公報
【特許文献６】実開昭５８−１９０６２号公報
【特許文献７】特公平２−５８０１５号公報
【特許文献８】特公平１−３７５４６号公報
【発明の概要】
【発明が解決しようとする課題】
【０００５】
線材格子フェンスパネルの上端部を湾曲させて胴縁を形成する形態、或は縦線材の表裏に横線材を挟み込む形態の前記従来の線材格子フェンスパネルでは、上端部に直線状の部分が形成されるため、小動物（例えば、猫、ハクビシン等）にとって歩行又は走行しやすい通路が形成されるため、小動物にとって歩行しやすい線材格子フェンスパネルとなっている。
【０００６】
また、線材格子フェンスパネルの上端部を湾曲して形成した胴縁を備えていると、運搬時において、線材格子フェンスパネルが嵩張るため、運搬効率が低下すると共に、線材格子フェンスパネルが高価になり、その結果、線材格子フェンスは経済的でなくなる。
【０００７】
さらに、線材格子フェンスパネルにおける縦線材の上端が突出していると、怪我をする恐れがあるから、怪我をする恐れのない、より安全な線材格子フェンスパネルを用いた線材格子フェンスが望まれる。
【０００８】
したがって、小動物にとって歩行しにくい線材格子フェンスパネルで、胴縁を必要としない形態の安価な線材格子フェンスパネルで、怪我をする恐れのない、より安全な線材格子フェンスパネルを用いた線材格子フェンスが望まれる。
【０００９】
さらに、線材格子フェンスパネルを、複数の縦線材と間隔をおいた横線材とを組み合わせた筒状支柱に、組み込む場合に、継手金物を用いて固定でき、筒状支柱に対し、その前面に取り付ける形態を選択できる線材格子フェンスパネルであると、敷地境界に確実に線材格子フェンスパネルを配置することができるようになるため、そのような、筒状支柱と線材格子フェンスパネルとを組み合わせた線材格子フェンスが望まれる。
【００１０】
また、支柱自体も複数の縦線材と間隔をおいた横線材とを組み合わせた筒状支柱とすると、線材格子フェンスパネルと筒状支柱とが、いずれも線材により形成されていることから、フェンスを安価にでき、しかも景観もよい線材格子フェンスとなる。
【００１１】
本発明は、前記の課題を解消することができる小動物にとって歩行しにくい線材格子フェンスパネルで、胴縁を必要としない形態の安価な線材格子フェンスパネルを用いた線材格子フェンスで、敷地境界に線材格子フェンスパネルを配置してこれを確実に支柱に取り付けることができる線材格子フェンスを提供することを目的とする。
【課題を解決するための手段】
【００１２】
第１発明の線材格子フェンスにおいては、３本以上の柱縦線材にその上下方向に間隔をおいた多数の環状柱横線材を接合してなる筒状支柱と、上端が湾曲して下方に２本の縦線材が伸びる湾曲縦線材を間隔をおいて複数配置し、上下に間隔をおいた横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、隣り合う各線材格子フェンスパネルにおけるリング状横線材の側端の縦部分は、それぞれ前記筒状支柱の前面側で隣り合うように配置され、その筒状支柱の前面側で隣り合う最上段のリング状横線材の側端の縦部分と、筒状支柱とは、継手金物により接合されていることを特徴とする。
【００１３】
第２発明の線材格子フェンスにおいては、３本以上の柱縦線材にその上下方向に間隔をおいた多数の環状柱横線材を接合してなる筒状支柱と、上端が湾曲して下方に２本の縦線材が伸びる湾曲縦線材を間隔をおいて複数配置し、上下に間隔をおいた横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、その線材格子フェンスパネルにおけるリング状横線材の側端の縦部分は、前記筒状支柱の前面側に配置され、最上段のリング状横線材の側端の縦部分と、筒状支柱とは、継手金物により接合されていることを特徴とする。
【００１４】
第３発明の線材格子フェンスでは、３本以上の柱縦線材にその上下方向に間隔をおいた多数の環状柱横線材を接合してなる筒状支柱と、上端が湾曲して下方に２本の縦線材が伸びる湾曲縦線材を間隔をおいて複数配置し、上下に間隔をおいた横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、その線材格子フェンスパネルにおけるリング状横線材の側端の横線材部分は、前記筒状支柱の前面側に配置され、最上段のリング状横線材の側端の横線材部分と、筒状支柱とは、継手金物により接合されていることを特徴とする。
【００１５】
第４発明では、第１発明又は第２発明の線材格子フェンスにおいて、線材格子フェンスパネルにおける最上段の後部のリング状横線材の継手部が、前記筒状支柱の上部の上下一対の環状柱横線材間における下側の環状柱横線材上に載置されて、前記継手部と、上下の環状柱横線材とを囲むように、係止溝を有すると共にボルト挿通孔を有する上下一対の係止片を備えた継手金物における前記係止片が前記環状柱横線材及び継手部に嵌合され、上下一対の係止片のボルト挿通孔に渡って、継手金物におけるボルトの軸部が挿通されると共にナットがねじ込まれて、線材格子フェンスパネルは筒状支柱に取り付けられていることを特徴とする。
【００１６】
第５発明では、第４発明の線材格子フェンスにおいて、前記継手金物は、ボルト挿通孔を有する断面コ字状の断面コ字状の係止金具を備え、その係止金具における各係止脚部間に、隣り合う線材格子フェンスパネルにおける最上段のリング状横線材における側端の各縦部分が位置し、上下一対の係止片のボルト挿通孔と、前記係止金具のボルト挿通孔とに渡って、継手金物におけるボルトの軸部が挿通されると共にナットがねじ込まれて、左右の線材格子フェンスパネルにおける継手部は筒状支柱に取り付けられていることを特徴とする。
【００１７】
第６発明では、第１発明〜第５発明のいずれかに記載の線材格子フェンスにおいて、短尺横線材が、湾曲縦線材の下部、又は下部と中間部に、接合されている線材格子フェンスパネルとされていることを特徴とする。
【発明の効果】
【００１８】
第１発明及び第２発明の線材格子フェンスによると、上端が湾曲して下方に２本の縦線材が伸びる多数の湾曲縦線材を用いているため、小動物にとって歩行しにくい線材格子フェンスであり、しかも、胴縁を必要としない形態の安価な線材格子フェンスパネルを用いた線材格子フェンスとすることができ、敷地境界に継手金物の端部を位置させるようにして敷地境界に近接して線材格子フェンスパネルを配置することができるため、敷地内におけるデッドスペースを少なくすることができる。また、簡単な継手金物を用いて、線材格子フェンスパネルにおける最上段のリング状横線材の側端の縦部分を容易に確実に筒状支柱に取り付けることができる等の効果が得られる。
また、筒状支柱の前面側においても、フェンスパネルの網目を形成することができる。
【００１９】
第３発明によると、上端が湾曲して下方に２本の縦線材が伸びる複数の湾曲縦線材を用いているため、小動物にとって歩行しにくい線材格子フェンスであり、しかも、胴縁を必要としない形態の安価な線材格子フェンスパネルを用いた線材格子フェンスとすることができ、敷地境界に継手金物を位置させるようにして敷地境界に近接して線材格子フェンスパネルを配置することができるため、敷地内におけるデッドスペースを少なくすることができる。また、簡単な継手金物を用いて、線材格子フェンスパネルにおける最上段のリング状横線材の横線材部分を容易に確実に筒状支柱に取り付けることができる等の効果が得られる。
【００２０】
第４発明によると、第１発明又は第２発明の線材格子フェンスにおいて、線材格子フェンスパネルにおける最上段の後部のリング状横線材の継手部が、前記筒状支柱の上部の上下一対の環状柱横線材間における下側の環状柱横線材上に載置されて、前記継手部と、上下の環状柱横線材とを囲むように、係止溝を有すると共にボルト挿通孔を有する上下一対の係止片を備えた継手金物における前記係止片が前記環状柱横線材及び継手部に嵌合され、上下一対の係止片のボルト挿通孔に渡って、継手金物におけるボルトの軸部が挿通されると共にナットがねじ込まれて、線材格子フェンスパネルは筒状支柱に取り付けられているので、さらに、簡単な構造の係止片とすることができ、またそのような簡単な構造の係止片及びボルト・ナットを用いて、線材格子フェンスパネルの前後方向の移動を拘束することができる等の効果が得られる果が得られる。
【００２１】
第５発明によると、第４発明の線材格子フェンスにおいて、前記継手金物は、ボルト挿通孔を有する断面コ字状の断面コ字状の係止金具を備え、その係止金具における各係止脚部間に、隣り合う線材格子フェンスパネルにおける最上段のリング状横線材における側端の各縦部分が位置し、上下一対の係止片のボルト挿通孔と、前記係止金具のボルト挿通孔とに渡って、継手金物におけるボルトの軸部が挿通されると共にナットがねじ込まれて、左右の線材格子フェンスパネルにおける継手部は筒状支柱に取り付けられているので、さらに、簡単な構造の係止片及び係止金具並びにボルト・ナットを備えた継手金物を用いて、隣り合う線材格子フェンスパネルにおける最上段のリング状横線材の端部の継手部相互を、筒状支柱に対して、前後方向及び左右方向の移動を拘束して取り付けることができる等の効果が得られる。
【００２２】
第６発明によると、第１発明〜第５発明のいずれかに記載の線材格子フェンスにおいて、短尺横線材が、湾曲縦線材の下部、又は下部と中間部に、接合されている線材格子フェンスパネルとされているので、線材格子フェンスパネルの網目を小さくして、小動物の侵入を防止することができる等の効果が得られる。
【図面の簡単な説明】
【００２３】
【図１】（ａ）は本発明におけるフェンスに用いられる線材格子フェンスを示す正面図、（ｂ）は平面図である。
【図２】（ａ）は図１に示す線材格子フェンスの側面図、（ｂ）は本発明におけるフェンスに用いられる線材からなる筒状支柱を示す正面図、（ｃ）は（ｂ）の平面図である。
【図３】（ａ）は本発明のフェンスにおける筒状支柱と線材格子フェンスとの上部の取り付け部を示す図（図６のＡ部を拡大して示す図）で、右側における手前側のリング状横線材の継手部を一部切欠いて示す正面図で、（ｂ）は（ａ）の一部切欠き平面図、（ｃ）は（ａ）のａ−ａ線断面図である。
【図４】（ａ）は本発明のフェンスにおける筒状支柱と線材格子フェンスとの下部の取り付け部を示す図（図６のＢ部を拡大して示す図）で、右側における手前側のリング状横線材の継手部を一部切欠いて示す正面図で、（ｂ）は（ａ）の一部切欠き横断平面図、（ｃ）は（ａ）のｂ−ｂ線断面図である。
【図５】（ａ）は本発明のフェンスの端部側の筒状支柱と線材格子フェンスとの上部の取り付け部を示す正面図で、図６のＡ部を拡大して示す図であり、（ｂ）は（ａ）の一部切欠き横断平面図、（ｃ）は（ａ）のｃ−ｃ線断面図である。
【図６】（ａ）は本発明の一実施形態のフェンスを示す一部切欠き正面図、（ｂ）は平面図である。
【図７】（ａ）は本発明のフェンスの端部側の筒状支柱と線材格子フェンスとの他の取り付け形態を示す正面図であり、（ｂ）は（ａ）の一部切欠き横断平面図、（ｃ）は（ａ）のｄ―ｄ線断面図である。
【図８】本発明のフェンスの他の形態を示す平面図である。
【図９】（ａ）は本発明のフェンスにおいて用いる係止片の一方を示す斜視図、（ｂ）は係止脚部を有する係止金具を示す斜視図である。
【発明を実施するための形態】
【００２４】
次に、本発明を図示の実施形態に基づいて詳細に説明する。
【００２５】
まず、図１及び図２（ａ）を参照して、本発明において用いる線材格子フェンスパネル１の一実施形態について説明すると、上端が半円状（図示の場合）又は弧状或はコ字状等に湾曲した湾曲接続部２ａを介して、下方に平行に２本の縦線材２ｂが伸びる複数（図示の場合は多数）の湾曲縦線材２が横方向に間隔をおいて同じ高さで配置され、前記各湾曲縦線材２の片面側（前面側）に渡って、上下に間隔をおいた横線材部分を備えたリング状横線材３が上下方向に間隔をおいて複数配置されて前記各湾曲縦線材２に溶接により接合されている。
【００２６】
また、少なくとも最上段の前面側のリング状横線材３の背面側には、各湾曲縦線材２を挟んで、後面側のリング状横線材３が前記各湾曲縦線材２に溶接により接合されて、剛性が高められている。
【００２７】
最上段の前後の前記各リング状横線材３は、湾曲縦線材２における上端から下方に離れた位置に設置されていることで、線材格子フェンスパネル１における上端が連続した水平部分を形成することなく、湾曲接続部２ａが間隔をおいて形成された不連続状態としていることから、小動物（猫等）が乗る場所をなくし、小動物の歩行及び走行を困難にしている。湾曲縦線材２の上端は、コ字状よりも弧状或は半円状、半円状よりも逆Ｖ字状とする方が、小動物（猫等）が乗る場所がなくなる分、好ましいが、図示のように半円状とする方が人にやさしい形状である。
【００２８】
図示の形態では、最下段の前面側のリング状横線材３の背面側には、各湾曲縦線材２を挟んで、後面側のリング状横線材３が前記各湾曲縦線材２に溶接により接合されて、剛性が高められ、胴縁を必要としない形態の安価な線材格子フェンスパネル１としている。
前記の各リング状横線材３は、その両側端は、端部側の湾曲縦線材２よりも、横方向に突出するように設けられて継手部４を形成している。
【００２９】
図示の実施形態では、前記の継手部４は、上下に間隔をおいた横線材部分４ａを備えたリング状横線材３における上下の横線材４ａ端部による水平な横部分４ａと、横部分４ａを接続する垂直な縦部分４ｂとを備えている。
【００３０】
突出した継手部４の形態としては、図示のように、コ字状でも、弧状又は半円状でもよいが、縦部分４ｂを備え、上下の横線材４ａ相互を接続してリング状としていればよい。前記の縦部分４ｂは垂直である方が、隣り合う線材格子フェンスパネル１の縦部分４ｂ間の間隙が小さくなり、網目が小さくなるから望ましい。
【００３１】
各リング状横線材３内には、リング状横線材３の横長さ寸法よりも短い短尺横線材５が、両側端の湾曲縦線材２に渡って配置されて、各湾曲縦線材２に溶接により固定されて、短尺横線材５がリング状横線材３から横長さ方向に突出しないように設けられている。
【００３２】
上下に間隔をおいたリング状横線材３間には、各湾曲縦線材２の後面側において、前記短尺横線材５と同様な、短尺横線材５がリング状横線材３から横長さ方向に突出しないように設けられている。
【００３３】
前記のリング状横線材３における横線材部分と短尺横線材５とが、上下方向に等間隔をおいて密に配置されていることで、網目を小さくして、小動物の侵入を防止可能にされている。短尺横線材５は、湾曲縦線材２の下部、又は下部と中間部に、接合されている線材格子フェンスパネル１とされていると、網目を小さくして、小動物の侵入を確実に防止することができる。
【００３４】
前記各短尺横線材５がリング状横線材３から横長さ方向に突出しないように設けられていることで、短尺横線材５の端部により怪我をしないようにされている。特に、リング状横線材３に同面状に配置された短尺横線材５に接触する前に、リング状横線材３に接触するようになるため、怪我をする恐れが少なく安全性が向上している線材格子フェンスパネル１とされている。
【００３５】
なお、前記の湾曲縦線材２又はリング状横線材３或は短尺横線材５としては、例えば、丸鋼棒が用いられる。
【００３６】
次に、図２（ｂ）（ｃ）を参照して、本発明の線材格子フェンスに用いる筒状支柱６について説明する。
【００３７】
左右方向及び前後方向に間隔をおいて同じ高さ位置に配置された３本以上（図示の場合は、４本）の柱縦線材７に対して、各柱縦線材７を囲むように、前記各柱縦線材７の上下方向に間隔をおいて、長方形又は矩形環状等の環状柱横線材８を配置し、各柱縦線材７に環状柱横線材８を接合して、筒状鉄筋籠状の筒状支柱６が形成されている。
【００３８】
下端側の一つ又は複数の環状柱横線材８及び柱縦線材７の下端部は、基礎９に埋め込み固定され、下端側の一つ又は複数の環状柱横線材８は抜け出し防止用アンカー材として機能する。前記の環状柱横線材８及び柱縦線材７としては、丸鋼棒が用いられる。
【００３９】
上下間の各環状柱横線材８は、線材格子フェンスパネル１側におけるリング状横線材３及び短尺横線材５と高さ位置が異なるように設けられている。
【００４０】
最上段の環状柱横線材８とこれに間隔をおいて下側で隣接する下位の環状柱横線材８間の間隔を、リング状横線材３における端部の継手部４又は中間部の上下横線材間の高さ寸法よりも若干大きい寸法とされて、筒状支柱６の前面側における上下の環状柱横線材８間にリング状横線材３の端部の継手部４又は中間部を配置可能にされている。このようにすることで、筒状支柱６の前面側において横方向に隣り合う、線材格子フェンスパネル１の側端の継手部４相互を配置したり、リング状横線材３の中間部を配置できるようにされている。
【００４１】
線材格子フェンスパネル１を筒状支柱６に取り付ける場合には、例えば、線材格子フェンスパネル１の上下部又は中間部におけるリング状横線材３の端部を固定することで、確実に筒状支柱６に線材格子フェンスパネル１を固定することができる。
【００４２】
（線材格子フェンスについて）
次に、前記の線材格子フェンスパネル１を線材筒状支柱６に継手金物を用いて取り付けて、フェンスを構築した形態について説明する。
【００４３】
図６に示すように、筒状支柱６は、横方向に間隔をおいて配置されて、各筒状支柱６の下端部が、地盤に構築されたコンクリート基礎又は中空部を有するコンクリートブロック積み基礎に充填されるモルタルにより埋め込み固定されて、基礎９に立設固定される。
【００４４】
図６における左右方向の中間で、上端部及び下端部をそれぞれ拡大して示す図３及び図４に示すように、線材格子フェンスパネル１は、上端部及び下端部又は必要に応じ、中間部に位置するリング状横線材３における継手部４が筒状支柱６に継手金物を用いて取り付けられる。
【００４５】
図示の形態では、線材格子フェンスパネル１は、上端部及び下端部が継手金物を用いて取り付けられている。
【００４６】
各筒状支柱６の前面側における縦中心軸線に対して、左右対称に、各線材格子フェンスパネル１の継手部４が配置される。
かつ、線材格子フェンスパネル１における最上段の後部（背面側）のリング状横線材３の継手部４と、最下段の後部のリング状横線材３の継手部４とが、それぞれ、上部の上下一対の環状柱横線材８間、及び下部の上下一対の環状柱横線材８間における下側の環状柱横線材８上に載置されるように配置される。そして、各後部のリング状横線材３の側端の各継手部４と、上下の環状柱横線材８とを囲むように、係止溝１０を有すると共にボルト挿通孔１１を有する上下一対の係止片１２（図９参照）を備えた継手金物１３における前記係止片１２が前記環状柱横線材８及び継手部４に嵌合される。
【００４７】
また、前部側のリング状横線材３の継手部４における縦部分４ｂを利用して、隣り合うリング状横線材３の縦部分４ｂ相互が離反しないように、ボルト挿通孔１４を有する断面コ字状の係止金具１５（図９参照）における各係止脚部１６間に各縦部分４ｂが位置し、各係止脚部１６が係止片１２側に向くように配置して、上下一対の係止片１２のボルト挿通孔１１と、係止金具１５のボルト挿通孔１４とに渡って、継手金物１３におけるボルト１７の軸部が挿通されると共にナット１８がねじ込まれて、左右の線材格子フェンスパネル１における継手部４は筒状支柱６に取り付けられている。また、隣り合う線材格子フェンスパネル１の継手部４を利用して、筒状支柱６の前面側においても、フェンスパネルの網目を形成するようにことができる。
【００４８】
前記の係止金具１５は、鋼板が折り曲げ形成されて、本体部の両側に各係止脚部１６が形成されると共に本体部にボルト挿通孔１４が形成されて、断面コ字状の係止金具とされ、係止脚部１６の突出長さ寸法は、リング状横線材３の線径と同じか、僅かに小さい寸法とされ、リング状横線材３を係止片１５に向かって押圧可能にされていることが望ましい。
【００４９】
ここで、図９を参照して、前記の上下一対の係止片１２についてさらに説明すると、各係止片１２は、長方形の鋼板がその中間部で円弧状に折り曲げられて、円弧状接続部１９を介して短尺脚部２０と長尺脚部２１が形成されていると共に各脚部の円弧状接続部１９に係止溝１０が形成され、また、長尺脚部２１の先端側には、ボルト挿通孔を備えている。
【００５０】
前記のような係止片１２を、図に示すように、上下点対称になるように配置し、かつ上部の係止片１２が、各後部のリング状横線材３の側端の各継手部４と、上側の環状柱横線材８とを囲むように配置される。
【００５１】
また、下部の係止片１２が、各後部のリング状横線材３の側端の各継手部４と、下側の環状柱横線材８とを囲むように配置され、各係止片１２の長尺脚部２１に渡って、継手部４間においてボルト１７を挿通して連結することで、隣り合う線材格子フェンスパネル１と筒状支柱６との前後方向の一体化を図るようにしている。
【００５２】
しかも前記実施形態では、筒状支柱６の前面側において、左右方向に隣り合う線材格子フェンスパネル１における前部のリング状横線材３の側部の継手部４の縦部分４ｂを、その前部側に配置された係止金具１５の係止脚部１６間に配置することで、さらに係止金具１５を前記のボルト１７を利用して前後一対の係止片１２に取り付けることで、左右方向に隣り合う線材格子フェンスパネル１が左右方向に離反するのを防止し、しかも筒状支柱６との左右方向の一体化を図っている。
【００５３】
前記の係止片１２の左右方向の巾寸法Ｌ１（図３参照）が、筒状支柱６における前面側の左右方向に隣り合う柱縦線材７間の寸法Ｌ２よりも若干小さい寸法とされていることで、また、ボルトにより締め付け固定することで、左右の線材格子フェンスパネル１の左右方向のずれをなくしている。
【００５４】
前記実施形態の変形形態として、図示を省略するが、各係止片１２の前面側に左右方向に間隔をおいて前方に突出する係止脚部を一体に設け、各係止脚部を、左右の線材格子フェンスパネル１の縦部分４ｂを拘束するように係合させることで、係止金具を省略することも可能である。この場合には、係止脚部を有する各係止片１２を、前後の線材格子フェンスパネル１における継手部４間に挿入するようにすればよい。
【００５５】
図６及び図５には、線材格子フェンスパネル１におけるリング状横線材３の側端の継手部４と、筒状支柱６との取り付け構造が示されている。ボルト挿通孔１１を有する上下一対の係止片１２及びボルト・ナットにより固定する構造とされている。
【００５６】
端部側では、線材格子フェンスパネル１の一端部の各後部のリング状横線材３の継手部４を筒状支柱６に固定すればよいことから、継手部４の縦部分をボルト１７よりも左右方向の外側に位置するように筒状支柱６の前面側に配置し、各後部のリング状横線材３の側端の各継手部４と、上下の環状柱横線材８とを囲むように、係止溝１０を有すると共にボルト挿通孔１１を有する上下一対の係止片１２が環状柱横線材８及び継手部４に嵌合され、各係止片１２をボルト１７及びこれにねじ込まれるナット１８からなる継手金物１３により連結一体化することで、線材格子フェンスパネル１を筒状支柱６の前面側に固定している。
【００５７】
図７に示すように、線材格子フェンスパネル１におけるリング状横線材３の左右方向の他端側を筒状支柱６の前面に配置できない場合には、湾曲縦線材２における縦線材間のリング状横線材３を、上下一対の係止片１２及びボルト１７及びナット１８による継手金物１３により、筒状支柱６に取り付けるようにしてもよい。
【００５８】
前記実施形態では、筒状支柱６の前面側に、線材格子フェンスパネル１を継手金物１３により固定する形態を示したが、本発明において用いる筒状支柱６は、柱縦線材７が、前後方向及び左右方向に間隔をおいて配置されていることから、図８に示すように、筒状筒状支柱６の側面にも、前面側の線材格子フェンスパネル１と同じ高さ位置に、同様な側面の線材格子フェンスパネル１を配置して、継手金物１３により、前記と同様に筒状支柱６に取り付けることができる。この場合、敷地境界線上又はその近傍に線材格子フェンス又は筒状支柱６を配置すると、フェンス設置により、敷地にデッドスペースが生じることはない。
【００５９】
前記実施形態においては、筒状支柱６を、前後左右に間隔をおいた４本の柱縦線材７により形成した形態を示したが、３本又は５本以上の柱縦線材７を、前後左右方向に間隔をおいて配置して、三角形状の環状柱横線材又は５角形以上の多角形の環状柱横線材を上下方向に間隔をおいて溶接により固着して一体化した筒状支柱を用いるようにしてもよい。
【符号の説明】
【００６０】
１  線材格子フェンスパネル
２  湾曲縦線材
２ａ  湾曲接続部
２ｂ  縦線材
３  リング状横線材
４  継手部
４ａ  横部分、横線材部分
４ｂ  縦部分
５  短尺横線材
６  筒状支柱
７  柱縦線材
８  環状柱横線材
９  基礎
１０  係止溝
１１  ボルト挿通孔
１２  係止片
１３  継手金物
１４  ボルト挿通孔
１５  係止金具
１６  係止脚部
１７  ボルト
１８  ナット
１９  円弧状接続部
２０  短尺脚部
２１  長尺脚部
【図１】
2012202036.tif 000003
【図２】
2012202036.tif 000004
【図３】
2012202036.tif 000005
【図４】
2012202036.tif 000006
【図５】
2012202036.tif 000007
【図６】
2012202036.tif 000008
【図７】
2012202036.tif 000009
【図８】
2012202036.tif 000010
【図９】
2012202036.tif 000011